(57)【要約】 【課題】  本発明は、多くのクライアント端末間で転送されたコンテンツの転送源の端末を特定することを目的とする。【解決手段】  コンテンツ送信部１１１は、転送源端末２００からの要求に応じて、転送源端末２００を識別するための固有の情報である転送源端末ＩＤと、コンテンツを識別するための固有の情報であるコンテンツＩＤとを含むコンテンツを転送源端末２００に送信する。復号化情報送信部１１２は、転送源端末２００からの認証要求又は転送源端末２００からコンテンツが転送された端末である転送先端末３００からの認証要求に応じて、コンテンツを復号化するための復号化情報を転送源端末２００又は転送先端末３００に送信する。計数部１１３は、認証要求に含まれる転送源端末ＩＤ及びコンテンツＩＤに基づいて、転送源端末ＩＤをコンテンツＩＤ毎に計数する。表示部１３０は、計数部１１３により計数された所定数以上の転送源端末ＩＤを表示する。【選択図】      図１
2007041800.tif 000002
【特許請求の範囲】
【請求項１】
暗号化されたコンテンツの転送の起点となる端末である転送源端末からの要求に応じて、前記コンテンツを前記転送源端末に提供するコンテンツ提供装置であって、
前記転送源端末からの要求に応じて、該転送源端末を識別するための固有の情報である転送源端末ＩＤと、前記コンテンツを識別するための固有の情報であるコンテンツＩＤとを含む前記コンテンツを前記転送源端末に送信するコンテンツ送信部と、  
前記転送源端末からの認証要求又は前記転送源端末から前記コンテンツが転送された端末である転送先端末からの認証要求に応じて、前記コンテンツを復号化するための復号化情報を前記転送源端末又は前記転送先端末に送信する復号化情報送信部と、
前記認証要求に含まれる前記転送源端末ＩＤ及び前記コンテンツＩＤに基づいて、前記転送源端末ＩＤを前記コンテンツＩＤ毎に計数する計数部と、
前記計数部により計数された所定数以上の前記転送源端末ＩＤを出力する出力部と
を備えることを特徴とするコンテンツ提供装置。
【請求項２】
前記計数部により計数された所定数以上の前記転送源端末ＩＤの前記転送源端末に対して新たなコンテンツを送信する送信部を備えることを特徴とする請求項１に記載のコンテンツ提供装置。
【請求項３】
前記コンテンツＩＤは、前記コンテンツの属するジャンルを示す情報を含み、
前記出力部は、前記計数部により計数された所定数以上の前記転送源端末ＩＤに対応する前記コンテンツＩＤに基づいて、該コンテンツＩＤに含まれる前記ジャンルを出力することを特徴とする請求項１に記載のコンテンツ提供装置。
【請求項４】
暗号化されたコンテンツの転送の起点となる端末である転送源端末からの要求に応じて、前記コンテンツを前記転送源端末に提供するコンテンツ提供装置において動作するコンテンツ提供プログラムであって、
コンピュータを、
前記転送源端末からの要求に応じて、該転送源端末を識別するための固有の情報である転送源端末ＩＤと、前記コンテンツを識別するための固有の情報であるコンテンツＩＤとを含む前記コンテンツを前記転送源端末に送信するコンテンツ送信部と、  
前記転送源端末からの認証要求又は前記転送源端末から前記コンテンツが転送された端末である転送先端末からの認証要求に応じて、前記コンテンツを復号化するための復号化情報を前記転送源端末又は前記転送先端末に送信する復号化情報送信部と、
前記認証要求に含まれる前記転送源端末ＩＤ及び前記コンテンツＩＤに基づいて、前記転送源端末ＩＤを前記コンテンツＩＤ毎に計数する計数部と、
前記計数部により計数された所定数以上の前記転送源端末ＩＤを出力する出力部として機能させることを特徴とするコンテンツ提供プログラム。
【請求項５】
前記計数部により計数された所定数以上の前記転送源端末ＩＤの前記転送源端末に対して新たなコンテンツを送信する送信部を備えることを特徴とする請求項４に記載のコンテンツ提供プログラム。
【請求項６】
前記コンテンツＩＤは、前記コンテンツの属するジャンルを示す情報を含み、
前記出力部は、前記計数部により計数された所定数以上の前記転送源端末ＩＤに対応する前記コンテンツＩＤに基づいて、該コンテンツＩＤに含まれる前記ジャンルを出力することを特徴とする請求項４に記載のコンテンツ提供プログラム。
【発明の詳細な説明】
【技術分野】
【０００１】
本発明は、広告、音楽、映像等のコンテンツを提供するコンテンツ提供装置及びコンテンツ提供プログラムに関する。
【背景技術】
【０００２】
従来から、クライアント端末からの要求に応じて、ネットワークを介してコンテンツを当該クライアント端末に提供するコンテンツ提供装置が運用されている（例えば、特許文献１参照）。
【０００３】
例えば、上記コンテンツ提供装置は、特定の歌手の楽曲などを多くの消費者に広めるためのプロモーション活動用のコンテンツをクライアント端末に提供する。当該クライアント端末（ユーザ）は、受信したコンテンツを紹介するために他のクライアント端末（ユーザ）に次々に転送する。これにより、多くのクライアント端末（ユーザ）に当該コンテンツを流布することができる。
【特許文献１】特開２００３−５８４１３号公報
【発明の開示】
【発明が解決しようとする課題】
【０００４】
しかしながら、上記コンテンツが途中のクライアント端末で破棄されるなどにより、当該コンテンツが他のクライアント端末に転送されないことがあるため、当該コンテンツが多くのクライアント端末に効果的に流布されない場合があるという問題があった。
【０００５】
一方、特定の商品が消費者に販売された場合又は特定のサービスが消費者に提供された場合に、当該消費者は、その商品又はサービスに対して満足できれば、その商品又はサービスを知人に紹介（いわゆる、口コミ）することが知られている。
【０００６】
このように、消費者が特定の商品又はサービスに対して満足できる場合、すなわち消費者が特定の商品又はサービスに対する評価を他の商品又はサービスに対する評価よりも良く思う場合には、その消費者は、自己を起点としてその評価を次々に他の消費者に知らせる。このため、特定の商品又はサービスの評価元となる消費者が特定されれば、その消費者を起点として新たな商品又はサービスが多くの消費者に広められる可能性が高まる。
【０００７】
同様にして、ネットワーク上の端末のユーザが、転送された特定のコンテンツに対する評価を他のコンテンツに対する評価よりも良く思う場合には、そのユーザは、自己の端末を起点として当該特定のコンテンツを他のユーザの端末に送信することを試みる。
【０００８】
そして、上述の如く、多くの消費者に知られた商品又はサービスの評価の起点となる評価元の消費者を特定することに対応して、ネットワーク上の多くの端末に転送されたコンテンツの転送の起点となる転送源の端末を特定することができれば、新たなコンテンツを多くの端末に広める可能性を高めることができる。
【０００９】
そこで、本発明は以上の点に鑑みてなされたものであり、多くの端末間で転送されたコンテンツの転送源の端末を特定することができるコンテンツ提供装置及びコンテンツ提供プログラムを提供することを目的とする。
【課題を解決するための手段】
【００１０】
本発明の特徴は、上記課題を解決するために、暗号化されたコンテンツの転送の起点となる端末である転送源端末からの要求に応じて、コンテンツを転送源端末に提供するコンテンツ提供装置であって、転送源端末からの要求に応じて、転送源端末を識別するための固有の情報である転送源端末ＩＤと、コンテンツを識別するための固有の情報であるコンテンツＩＤとを含むコンテンツを転送源端末に送信するコンテンツ送信部と、転送源端末からの認証要求又は転送源端末からコンテンツが転送された端末である転送先端末からの認証要求に応じて、コンテンツを復号化するための復号化情報を転送源端末又は転送先端末に送信する復号化情報送信部と、認証要求に含まれる転送源端末ＩＤ及びコンテンツＩＤに基づいて、転送源端末ＩＤをコンテンツＩＤ毎に計数する計数部と、計数部により計数された所定数以上の転送源端末ＩＤを出力する出力部とを備えることを要旨とする。
【００１１】
かかる特徴によれば、コンテンツ提供装置が、認証要求に含まれる複数の転送源端末ＩＤ及びコンテンツＩＤに基づいて、転送源端末ＩＤをコンテンツＩＤ毎に計数し、計数した所定数以上の転送源端末ＩＤを特定する。これにより、コンテンツ提供装置は、特定した転送源端末ＩＤを用いて、所定数以上の端末間で転送されたコンテンツの転送の起点となる転送源端末を特定することができる。
【００１２】
上記発明においては、計数部により計数された所定数以上の転送源端末ＩＤの転送源端末に対して新たなコンテンツを送信する送信部が備えられてもよい。
【００１３】
上記発明においては、コンテンツＩＤは、コンテンツの属するジャンルを示す情報を含み、出力部は、計数部により計数された所定数以上の転送源端末ＩＤに対応するコンテンツＩＤに基づいて、コンテンツＩＤに含まれるジャンルを出力してもよい。
【発明の効果】
【００１４】
本発明によれば、多くのクライアント端末間で転送されたコンテンツの転送源の端末を特定することができる。
【発明を実施するための最良の形態】
【００１５】
（コンテンツ提供装置の構成）
本実施形態について図面を参照しながら説明する。図１は、本実施形態におけるコンテンツ提供装置１００の概略構成を示す図である。
【００１６】
図１に示すように、コンテンツ提供装置１００は、ネットワーク４００を介して、コンテンツの転送の起点となる転送源の端末である転送源端末２００、及び転送源端末２００により転送されたコンテンツの転送先の端末である転送先端末３００と通信を実行することができる。なお、転送源端末２００及び転送先端末３００は、クライアント端末を構成する。
【００１７】
本実施形態では、コンテンツ提供装置１００は、複数の転送源端末２００に対してコンテンツを送信する。当該複数の転送源端末２００は当該コンテンツを転送先端末３００に送信すると、当該コンテンツは当該転送先端末３００間で次々と転送される。この場合にコンテンツ提供装置１００は、多くの端末間で転送されたコンテンツの転送源となる転送源端末２００を特定する。以下では、コンテンツ提供装置１００について詳細に説明する。
【００１８】
コンテンツ提供装置１００は、通信部１１０と、コンテンツ記憶部１２０と、表示部１３０とを備えている。
【００１９】
通信部１１０は、コンテンツ送信部１１１と、復号化情報送信部１１２と、計数部１１３とを備えている。コンテンツ送信部１１１は、転送源端末２００からの要求に応じて、転送源端末２００を識別するための固有の情報である転送源端末ＩＤと、コンテンツを識別するための固有の情報であるコンテンツＩＤとを含むコンテンツを転送源端末２００に送信する。
【００２０】
復号化情報送信部１１２は、転送源端末２００又は転送先端末３００からの認証要求（以下では、再生要求情報）に応じて、コンテンツを復号化するための復号化情報を転送源端末２００又は転送先端末３００に送信する。計数部１１３は、転送源端末２００又は転送先端末３００からの再生要求情報をコンテンツ記憶部１２０に記憶させ、記憶された再生要求情報に含まれる転送源端末ＩＤ及びコンテンツＩＤに基づいて、転送源端末ＩＤをコンテンツＩＤ毎に計数する。
【００２１】
コンテンツ記憶部１２０は、広告、音楽、映像等のコンテンツを複数記憶する。表示部１３０は、計数部１１３により計数された所定数以上の転送源端末ＩＤを表示する。
【００２２】
（コンテンツ提供装置の動作）
次に、図２乃至図７を参照してコンテンツ提供装置１００の動作について説明する。図２は、本実施形態におけるコンテンツ提供装置１００の動作を示す図である。
【００２３】
図２に示すように、Ｓ１０１において、コンテンツ提供装置１００は、転送源端末２００となるように促す情報である登録促進情報を所定のＷｅｂサイト上に掲載したり、又は特定の端末に対して登録促進情報を電子メールにより送信する。
【００２４】
ここで、登録促進情報には、端末を転送源端末として登録するためのＵＲＬなどが含まれている。
【００２５】
Ｓ１０３において、コンテンツ提供装置１００から登録促進情報の提示を受けた端末２００は、ユーザからの入力操作により、当該登録促進情報に含まれるＵＲＬにアクセスする。そして、コンテンツ提供装置１００は、ユーザからの操作により入力された登録情報をコンテンツ提供装置１００に送信する。
【００２６】
ここで、図３は、本実施形態における登録情報を示す図である。図３に示すように、登録情報には、転送源端末２００を用いるユーザの氏名、住所、生年月日、職業、メールアドレス等が含まれている。
【００２７】
Ｓ１０５において、コンテンツ提供装置１００は、Ｓ１０３により送信された登録情報を受信することにより、登録情報の送信元の端末を転送源端末２００として登録する。また、コンテンツ提供装置１００は、図３に示す登録情報に対応する付加情報を生成する。この付加情報には、転送源端末２００を個々に識別するためのＩＤである転送源端末ＩＤ、又は転送源端末２００のＩＰアドレスである転送源ＩＰアドレス等が含まれている。
【００２８】
Ｓ１０７において、コンテンツ提供装置１００は、コンテンツをダウンロード可能なＷｅｂサイトのＵＲＬであるダウンロードＵＲＬ、生成した上記付加情報に含まれる転送源端末ＩＤを転送源端末２００に送信する。
【００２９】
Ｓ１０９において、転送源端末２００は、ユーザからの入力操作により、コンテンツ提供装置１００から送信されたダウンロードＵＲＬにアクセスする。そして、転送源端末２００は、ユーザからの入力操作により、当該ダウンロードＵＲＬのＷｅｂサイトにおける特定のコンテンツが指定され、且つ、Ｓ１０７において送信された転送源端末ＩＤが入力された場合には、該特定のコンテンツが指定されたことを示す指定情報、入力された転送源端末ＩＤをコンテンツ提供装置１００に送信する。
【００３０】
Ｓ１１０において、コンテンツ提供装置１００は、転送源端末２００により送信された指定情報に対応するコンテンツのダウンロードを許可し、後述するダウンロード情報を生成する。このダウンロードされるコンテンツは、本実施形態では暗号化されているものとする。
【００３１】
ここで、図４は、本実施形態におけるダウンロード情報を示す図である。図４に示すように、ダウンロード情報には、コンテンツがダウンロードされた日時、ダウンロードされたコンテンツ、転送源端末２００がダウンロードＵＲＬにアクセスする前のＷｅｂサイトのＵＲＬである遷移元ＵＲＬ等が含まれている。
【００３２】
また、図４に示すように、ダウンロードされるコンテンツには、コンテンツのダウンロードを要求した転送源端末２００の転送源端末ＩＤ、該コンテンツを識別するためのＩＤであるコンテンツＩＤ等が含まれている。
【００３３】
上記転送源端末２００は、上記Ｓ１０１乃至Ｓ１１１までのコンテンツ提供処理Ａにより、コンテンツ提供装置１００からコンテンツを受信することができる。この転送源端末２００は、当該コンテンツが暗号化されているため、そのままでは当該コンテンツをユーザに視聴させること、すなわち当該コンテンツを再生することができない。そこで、転送源端末２００は、後述するＳ２０１乃至Ｓ２１１までの転送源コンテンツ再生処理Ｂにより、コンテンツを再生することができる。
【００３４】
次に、本実施形態における転送源コンテンツ再生処理Ｂについて説明する。図２に示すように、Ｓ２０１において、転送源端末２００は、ユーザの入力操作により、表示されたコンテンツがクリックされたか否か判定する。また、転送源端末２００は、この判定がＹＥＳである場合にはＳ２０３の処理に移り、ＮＯである場合には本処理を繰り返す。
【００３５】
Ｓ２０３において、転送源端末２００は、クリックされたコンテンツの復号化を要求するための再生要求情報をコンテンツ提供装置１００に送信する。
【００３６】
ここで、図５は、本実施形態における再生要求情報を示す図である。図５に示すように、再生要求情報には、クリックされたコンテンツに含まれる転送源端末ＩＤ及びコンテンツＩＤ、再生要求情報が過去に１回以上送信されたことをコンテンツ提供装置１００に判定させるための再生ＩＤ、再生要求情報の送信元の転送源端末２００のＩＰアドレスである再生要求元ＩＰアドレス等が含まれている。この再生要求情報には、再生要求情報がコンテンツ提供装置１００によって受信された受信日時が対応付けられている。
【００３７】
Ｓ２０５において、コンテンツ提供装置１００は、転送源端末２００から受信した再生要求情報に再生ＩＤが含まれているか否かを判定する。また、コンテンツ提供装置１００は、再生要求情報に再生ＩＤが含まれている場合には、Ｓ２０７において、暗号化されたコンテンツを復号化させるための復号化情報を転送源端末２００に送信する。
【００３８】
一方、コンテンツ提供装置１００は、再生要求情報に再生ＩＤが含まれていない場合には、Ｓ２０９において、上記再生ＩＤを生成して当該再生ＩＤと上記復号化情報とを転送源端末２００に送信する。
【００３９】
Ｓ２１１において、転送源端末２００は、コンテンツ提供装置１００から受信した復号化情報を用いて、暗号化されたコンテンツを復号化して当該コンテンツを再生する。
【００４０】
ここで、復号化情報には、回数制限、期限制限からなる特定条件、又は復号化情報が送信された端末にのみコンテンツの復号化が有効となる特定条件などが設定されている。本実施形態における復号化情報には、復号化情報が送信された端末にのみコンテンツの復号化が有効となる特定条件が設定されているものとする。したがって、転送源端末２００（又は転送先端末３００）がコンテンツを他の転送先端末３００に転送した場合には、当該コンテンツに対応する復号化情報が有効ではなくなる。
【００４１】
よって、転送先端末３００は、コンテンツを受信した場合には、当該コンテンツに含まれる転送源端末ＩＤ及びコンテンツＩＤに基づいて、当該転送源端末ＩＤ及び当該コンテンツＩＤを含む再生要求情報を生成し、生成した再生要求情報をコンテンツ提供装置１００に送信する。そして、転送先端末３００は、当該再生要求情報に対応する復号化情報を取得し、当該復号化情報を用いてコンテンツを復号化して当該コンテンツを再生する。
【００４２】
上記転送源端末２００がコンテンツを転送先端末３００に転送した場合には、当該転送先端末３００は、転送先コンテンツ再生処理Ｃを実行することにより、暗号化されたコンテンツを復号化して再生することができる。また、当該転送先端末３００がコンテンツを他の転送先端末３００に転送した場合にも、当該他の転送先端末３００は、転送先コンテンツ再生処理Ｃと同様の処理を実行することにより、暗号化されたコンテンツを復号化して当該コンテンツを再生することができる。
【００４３】
この転送先コンテンツ再生処理Ｃは、転送源コンテンツ再生処理Ｂと同様であるため、詳細な説明は省略する。
【００４４】
次に、本実施形態における集計処理について説明する。図６は、本実施形態における集計処理を示す図である。図６に示すように、Ｓ４０１において、コンテンツ提供装置１００は、上記転送源コンテンツ再生処理Ｂ及び上記転送先コンテンツ再生処理Ｃのいずれかにより順次記憶された再生要求情報（図５参照）に基づいて、転送源端末ＩＤをコンテンツＩＤ毎に計数する。
【００４５】
Ｓ４０３において、コンテンツ提供装置１００は、所定数以上の転送源端末ＩＤを特定し、特定した転送源端末ＩＤとそれに対応するコンテンツＩＤとを集計情報に含めて表示する（図７参照）。
【００４６】
このような本実施形態によれば、コンテンツ提供装置１００が、既に受信した複数の再生要求情報を参照し、当該再生要求情報に含まれる転送源端末ＩＤ及びコンテンツＩＤに基づいて、転送源端末ＩＤをコンテンツＩＤ毎に計数し、所定数以上の転送源端末ＩＤ、すなわち本実施形態では最も多い転送源端末ＩＤを特定することができる。
【００４７】
これにより、コンテンツ提供装置１００は、最も多い転送源端末ＩＤに対応する転送源端末２００、すなわち最も多くの端末間で転送されたコンテンツの転送の起点となる転送源端末２００を特定することができる。
【００４８】
この結果、コンテンツ提供装置１００は、当該転送源端末２００に対して新たなコンテンツを提供することにより、当該転送源端末２００を介して当該新たなコンテンツを効率的に広めることができる。
【００４９】
（変更例）
なお、本実施形態では、コンテンツ提供装置１００は、所定数以上の転送源端末ＩＤとそれに対応するコンテンツＩＤとを特定／表示しているが、これに限定される訳ではなく、更に当該コンテンツＩＤに含まれているジャンルを特定／表示してもよい。
【００５０】
具体的には、コンテンツ提供装置１００は、上記転送源コンテンツ再生処理Ｂ及び上記転送先コンテンツ再生処理Ｃのいずれかにより順次記憶された再生要求情報（図５参照）に含まれているコンテンツＩＤ及び転送源端末ＩＤを参照し、転送源端末ＩＤをコンテンツＩＤ毎に計数する。
【００５１】
そして、コンテンツ提供装置１００は、計数した所定数以上の転送源端末ＩＤとそれに対応するコンテンツＩＤとを特定／表示するとともに、当該コンテンツＩＤに含まれるジャンルも特定／表示する。
【００５２】
このコンテンツ提供装置１００が、最も多い転送源端末ＩＤに対応するジャンルを特定することにより、コンテンツ提供装置１００は、当該転送源端末ＩＤに対応する転送源端末２００に対して、特定したジャンルに属する新たなコンテンツを送信することができるため、当該転送源端末２００を介して当該新たなコンテンツを効率的に広めることができる。
【００５３】
なお、コンテンツ提供装置１００は、上記コンテンツ提供処理Ａにより順次記憶されたダウンロード情報（図４参照）に基づいて、当該ダウンロード情報に含まれる遷移元ＵＲＬを参照し、同一の遷移元ＵＲＬ毎に該遷移元ＵＲＬの数を計数し、最も多い遷移元ＵＲＬを特定／表示してもよい（図９参照）。
【００５４】
この場合には、コンテンツ提供装置１００が、ダウンロードＵＲＬへアクセスする前の遷移元ＵＲＬを特定することができるため、コンテンツ提供装置１００は、特定された遷移元ＵＲＬのサイトに関係するコンテンツを該サイトに提示することにより、当該コンテンツを効率的に広めることができる。
【００５５】
なお、コンテンツ提供装置１００は、上記転送源コンテンツ再生処理Ｂ及び上記転送先コンテンツ再生処理Ｃのいずれかにより順次記憶された再生要求情報（図５参照）に含まれる再生要求元アドレスに基づいて、該再生要求元アドレスに対応する端末が設置されている地域の情報である地域情報を特定し、同一の地域情報毎に該地域情報を計数し、最も多い地域情報を特定／表示してもよい（図１０参照）。
【００５６】
この場合には、コンテンツ提供装置１００は、コンテンツがどの地域で多く転送されているかが分かるため、特定された地域に設置された転送源端末２００及び転送先端末３００を介して新たなコンテンツを送信することにより、当該新たなコンテンツを効率的に広めることができる。
【００５７】
なお、コンテンツ提供装置１００は、転送源コンテンツ再生処理Ｂ及び転送先コンテンツ再生処理Ｃのいずれかにより順次記憶された再生要求情報（図５参照）に含まれる再生要求元アドレスに基づいて、ＩＳＰ（インターネットサービスプロバイダ）の情報であるＩＳＰ情報を特定し、同一のＩＳＰ情報毎に該ＩＳＰ情報を計数し、最も多いＩＳＰ情報を特定／表示してもよい（図１１参照）。
【００５８】
この場合には、コンテンツ提供装置１００は、コンテンツがどのＩＳＰ情報を介して多く転送されているかが分かるため、特定されたＩＳＰに対して新たなコンテンツを送信することにより、当該新たなコンテンツを効率的に広める可能性を高めることができる。
【００５９】
（コンテンツ提供プログラム）
上記コンテンツ提供装置１００において動作するコンテンツ提供プログラムは、通信部１１０と、コンテンツ記憶部１２０と、表示部１３０としてコンピュータを機能させる。これらの各部は上述した実施形態における各部と同様であるため、詳細な説明は省略する。
【００６０】
なお、コンテンツ提供プログラムは、記録媒体に記録されてもよい。この記録媒体は、ハードディスク、フレキシブルディスク、コンパクトディスク、ＩＣチップ、カセットテープなどが挙げられる。
【００６１】
以上、本発明の一例を説明したが、具体例を例示したに過ぎず、特に本発明を限定するものではなく、各部の具体的構成等は、適宜設計変更可能である。また、実施形態及び各変更例の作用及び効果は、本発明から生じる最も好適な作用及び効果を列挙したに過ぎず、本発明による作用及び効果は、実施形態及び各変更例に記載されたものに限定されるものではない。
【図面の簡単な説明】
【００６２】
【図１】本実施形態におけるコンテンツ提供装置の概略構成を示す図である。
【図２】本実施形態におけるコンテンツ提供装置の動作を示す図である。
【図３】本実施形態における登録情報及び付加情報を示す図である。
【図４】本実施形態におけるダウンロード情報を示す図である。
【図５】本実施形態における再生要求情報を示す図である。
【図６】本実施形態における集計処理を示す図である。
【図７】本実施形態における集計情報を示す図である。
【図８】本変更例における集計情報を示す図である。
【図９】本変更例における集計情報を示す図である。
【図１０】本変更例における集計情報を示す図である。
【図１１】本変更例における集計情報を示す図である。
【符号の説明】
【００６３】
１００…コンテンツ提供装置、１１０…通信部、１２０…コンテンツ記憶部、１３０…表示部、２００…転送源端末、３００…転送先端末、４００…ネットワーク
【図１】
2007041800.tif 000003
【図２】
2007041800.tif 000004
【図３】
2007041800.tif 000005
【図４】
2007041800.tif 000006
【図５】
2007041800.tif 000007
【図６】
2007041800.tif 000008
【図７】
2007041800.tif 000009
【図８】
2007041800.tif 000010
【図９】
2007041800.tif 000011
【図１０】
2007041800.tif 000012
【図１１】
2007041800.tif 000013